(57)【特許請求の範囲】
【請求項１】
パレットのデッキに形成されたＩＣタグホルダー挿入開口に、ＩＣタグホルダーを挿入することにより、ＩＣタグホルダーが取り付けられるように構成されたＩＣタグホルダー付きパレットにおいて、ＩＣタグホルダーが、長方形状の水平嵌合板部材と、該水平嵌合板部材の下面に垂設された、縦長の板状部と該板状部の周縁に沿って形成された周状リブとからなるＩＣタグ保持部材とを有しているとともに、ＩＣタグ保持部材の板状部の一方の側面側に位置する周状リブの相対する垂直部には、所定の間隔を置いて、且つ、板状部と平行に、ＩＣタグ保持板が、該ＩＣ保持板と板状部との間に、ＩＣタグが挿入可能な間隙を有するように形成されており、また、ＩＣタグ保持部材の板状部の一方の側面及びもう一方の側面には、周状リブの相対する垂直部の上部を連結する水平連結リブが形成されているとともに、ＩＣタグ保持部材には、水平嵌合板部材と水平連結リブとを連結する当接垂直リブが形成されており、更に、水平嵌合板部材と水平連結リブとの間に位置する周状リブの相対する垂直部の外面には、係止突部が突設されており、更にまた、ＩＣタグホルダーの板状部の下端部には、自由端部付近に水平状突条が突設された弾性舌片が形成されており、ＩＣタグを、ＩＣタグホルダーに取り付ける際には、水平状突条が突設されている側から弾性舌片を押して、弾性舌片を湾曲変形させた後、ＩＣタグホルダーの下方から、ＩＣタグの両側部を、ＩＣタグホルダーのＩＣ保持板と板状部との間に形成された間隙に挿入し、ＩＣタグの下端が、弾性舌片の水平状突条を越えて上方に位置した時点で、弾性舌片が、その弾性復元力により、ＩＣタグの下端が、弾性舌片の水平状突条により支持されるように構成されており、ＩＣタグが取り付けられたＩＣタグホルダーが、パレットのデッキに形成されたＩＣタグホルダー挿入開口に挿入され取り付けられた際には、ＩＣタグホルダー挿入開口を構成する周状内周面に形成された環状突条が、ＩＣタグホルダーの水平嵌合板部材とＩＣタグホルダーの周状リブの相対する垂直部に突設された係止突部とにより挟持されるように構成されているとともに、ＩＣタグ保持部材の板状部の一方の側面及びもう一方の側面に形成された当接垂直リブが、ＩＣタグホルダー挿入開口を構成する周状内周面に形成された環状突条の垂直側面に当接、或いは、近接するように構成されていることを特徴とするＩＣタグホルダー付きパレット。
【発明の詳細な説明】
【技術分野】
【０００１】
本発明は、物品の運搬、移送、保管等に使用されるＩＣタグホルダー付きパレットに関するものであり、ＩＣタグホルダーには、ＩＣタグが収容されており、ＩＣタグは、パレットのサイズや材質や所有者等のパレット自体に関する情報及びパレットに載置される物品の種類や個数や行き先等の物品自体に関する情報等の種々の情報が蓄積されるＩＣチップや電池やアンテナ等が収容されている。
【背景技術】
【０００２】
従来、ＩＣタグホルダーを、パレットの側面部やデッキを構成する相対する桟間等に吊り下げるように構成されたＩＣタグホルダー付きパレットが、一例として、特許文献１に開示されている。
【０００３】
【特許文献１】特開平９−２５４９８３号公報
【発明の開示】
【発明が解決しようとする課題】
【０００４】
上述した従来のＩＣタグホルダー付きパレットにおいては、ＩＣタグホルダーを固定的にしっかりと取り付けることができないために、ＩＣタグホルダー自体がふらつき、そのために、ＩＣタグに読み込まれた情報の読み取りやＩＣタグへの新たな情報の書き込み等に誤動作が生じるという問題があった。
【０００５】
また、上述した従来のＩＣタグホルダー付きパレットにおいては、ＩＣタグホルダーを固定的にしっかりと取り付けることができないために、ＩＣタグホルダー自体がふらつき、そのために、ＩＣタグホルダー付きパレットとＩＣタグホルダーとの取り付け部分が損傷し、ひいては、ＩＣタグホルダーが、ＩＣタグホルダー付きパレットから離脱するという問題があった。
【０００６】
本発明の目的は、上述した従来のＩＣタグホルダー付きパレットが有する課題を解決することにある。
【課題を解決するための手段】
【０００７】
本発明は、上述した目的を達成するために、パレットのデッキに形成されたＩＣタグホルダー挿入開口に、ＩＣタグホルダーを挿入することにより、ＩＣタグホルダーが取り付けられるように構成されたＩＣタグホルダー付きパレットにおいて、ＩＣタグホルダーが、長方形状の水平嵌合板部材と、該水平嵌合板部材の下面に垂設された、縦長の板状部と該板状部の周縁に沿って形成された周状リブとからなるＩＣタグ保持部材とを有しているとともに、ＩＣタグ保持部材の板状部の一方の側面側に位置する周状リブの相対する垂直部には、所定の間隔を置いて、且つ、板状部と平行に、ＩＣタグ保持板が、該ＩＣ保持板と板状部との間に、ＩＣタグが挿入可能な間隙を有するように形成されており、また、ＩＣタグ保持部材の板状部の一方の側面及びもう一方の側面には、周状リブの相対する垂直部の上部を連結する水平連結リブが形成されているとともに、ＩＣタグ保持部材には、水平嵌合板部材と水平連結リブとを連結する当接垂直リブが形成されており、更に、水平嵌合板部材と水平連結リブとの間に位置する周状リブの相対する垂直部の外面には、係止突部が突設されており、更にまた、ＩＣタグホルダーの板状部の下端部には、自由端部付近に水平状突条が突設された弾性舌片が形成されており、ＩＣタグを、ＩＣタグホルダーに取り付ける際には、水平状突条が突設されている側から弾性舌片を押して、弾性舌片を湾曲変形させた後、ＩＣタグホルダーの下方から、ＩＣタグの両側部を、ＩＣタグホルダーのＩＣ保持板と板状部との間に形成された間隙に挿入し、ＩＣタグの下端が、弾性舌片の水平状突条を越えて上方に位置した時点で、弾性舌片が、その弾性復元力により、ＩＣタグの下端が、弾性舌片の水平状突条により支持されるように構成されており、ＩＣタグが取り付けられたＩＣタグホルダーが、パレットのデッキに形成されたＩＣタグホルダー挿入開口に挿入され取り付けられた際には、ＩＣタグホルダー挿入開口を構成する周状内周面に形成された環状突条が、ＩＣタグホルダーの水平嵌合板部材とＩＣタグホルダーの周状リブの相対する垂直部に突設された係止突部とにより挟持されるように構成されているとともに、ＩＣタグ保持部材の板状部の一方の側面及びもう一方の側面に形成された当接垂直リブが、ＩＣタグホルダー挿入開口を構成する周状内周面に形成された環状突条の垂直側面に当接、或いは、近接するように構成したものである。
【発明の効果】
【０００８】
デッキに形成されたＩＣタグホルダー挿入開口を構成する周状内周面に環状突条を形成し、該環状突条を、ＩＣタグホルダーの水平嵌合板部材とＩＣタグホルダーの周状リブの相対する垂直部に突設された係止突部とにより挟持するようにしたので、ＩＣタグホルダーのふらつきを防止することができ、ひいては、ＩＣタグに読み込まれた情報の読み取りやＩＣタグへの新たな情報の書き込み等に誤動作を防止することができる。
【０００９】
また、デッキに形成されたＩＣタグホルダー挿入開口を構成する周状内周面に環状突条を形成し、該環状突条を、ＩＣタグホルダーの水平嵌合板部材とＩＣタグホルダーの周状リブの相対する垂直部に突設された係止突部とにより挟持するようにしたので、ＩＣタグホルダーのふらつきを防止することができ、従って、ＩＣタグホルダーのパレットへの取り付け部分の損傷を防止することができるとともに、ＩＣタグホルダーのパレットからの離脱を防止することができる。
【００１０】
ＩＣタグホルダーの両側面に形成された当接垂直リブが、前記環状突条の相対する垂直側面に当接或いは近接するように構成したので、ＩＣタグホルダーのふらつきを、より確実に防止することができる。
【実施例】
【００１１】
以下に、本発明の実施例について説明するが、本発明の趣旨を越えない限り、何ら、本実施例に限定されるものではない。
【００１２】
先ず最初に、図１〜図５を用いて、パレットＰについて説明する。
【００１３】
図１には、一例としての本発明のＩＣタグホルダー付きパレット（以下、単に、パレットと称する。）Ｐが示されており、パレットＰは、上部デッキ１と、下部デッキ２と、上部デッキ１と下部デッキ２を連結する桁３と、桁３間に形成されているフォーク挿入口４とから構成されている。
【００１４】
５は、上部デッキ１の裏面に垂下された内側角筒部材であり、内側角筒部材５の下端は、パレットＰの三分の一程度に位置しているとともに、内側角筒部材５の側壁５ａで囲まれた上部デッキ１には、ＩＣタグ視認用及び／又はバーコード読取部材挿入用の開口６が形成されている。本実施例のように、パレットＰが、両面使用可能なパレットＰ（上部デッキ１と下部デッキ２の両方に、物品を載置することができるパレット）である場合には、内側角筒部材５は、下部デッキ２にも形成されているとともに、下部デッキ２にも、開口６が形成されている。なお、パレットＰが、片面使用のパレットＰ（上部デッキ１にのみ、物品を載置することができるパレット）である場合には、内側角筒部材５や開口６は、上部デッキ１のみに形成れている。
【００１５】
７は、内側角筒部材５の外側に、内側角筒部材５と所定に間隙を置いて配設されているとともに、上部デッキ１と下部デッキ２とを連結する外側角筒部材である。
【００１６】
内側角筒部材５と外側角筒部材７との間に位置する上部デッキ１領域には、内側角筒部材５の壁部５ａと外側角筒部材７の壁部７ａに沿って、ＩＣタグホルダー挿入開口８が形成されている。本実施例においては、ＩＣタグホルダー挿入開口８は、内側角筒部材５の各壁部５ａと外側角筒部材７の各壁部７ａに沿って、上部デッキ１領域の４箇所に形成されているとともに、内側角筒部材５の壁部５ａ及び外側角筒部材７の壁部７ａの中央部に位置する上部デッキ１領域ではなく、内側角筒部材５の一方の角部寄り及び外側角筒部材７の一方の角部寄りに位置する上部デッキ１領域に形成されている。また、本実施例においては、ＩＣタグホルダー挿入開口８は、その平面形状が、長方形状に形成されており、ＩＣタグホルダー挿入開口８の相対する長辺側壁８ａが、内側角筒部材５の１つの壁部５ａに沿って配置され、また、ＩＣタグホルダー挿入開口８の相対する短辺側壁８ｂが、上記１つの壁部５ａに対して垂直になるように配置されている。相対する長辺側壁８ａと相対する短辺側壁８ｂとにより、ＩＣタグホルダー挿入開口８の内周面８’が形成されている。
【００１７】
９は、ＩＣタグホルダー挿入開口８に隣接して、且つ、内側角筒部材５のもう一方の角部寄り及び外側角筒部材７のもう一方の角部寄りに位置する、内側角筒部材５と外側角筒部材７との間に位置する上部デッキ１領域に形成された水抜き孔である。上述したように、ＩＣタグホルダー挿入開口８を、内側角筒部材５の一方の角部寄り及び外側角筒部材７の一方の角部寄りに位置する上部デッキ１領域に形成することにより、内側角筒部材５のもう一方の角部寄り及び外側角筒部材７のもう一方の角部寄りには、大きなスペースが形成されるので、水抜き孔９を大きくすることができる。
【００１８】
ＩＣタグホルダー挿入開口８を構成する周状内周面８’には、環状突条１０が形成されており、環状突条１０は、上部デッキ１の上面１ａから一段下がった位置に形成されており、従って、周状内周面８’と環状突条１０の上端面１０’とにより、段差部１１が形成されている。環状突条１０は、ＩＣタグホルダー挿入開口８の相対する長辺側壁８ａに沿った相対する長辺突条部１０ａとＩＣタグホルダー挿入開口８の相対する短辺側壁８ｂに沿った相対する短辺突条部１０ｂとから構成されている。
【００１９】
次に、図６及び図７を用いて、ＩＣタグホルダーＨについて説明する。
【００２０】
ＩＣタグホルダーＨは、長方形状の水平嵌合板部材Ｈ１を有しており、水平嵌合板部材Ｈ１の下面Ｈ１’には、ＩＣタグ保持部材Ｈ２が垂設されている。
【００２１】
ＩＣタグ保持部材Ｈ２は、水平嵌合板部材Ｈ１の下面Ｈ１’から垂下された縦長の板状部ｈ１と板状部ｈ１の周縁に沿って形成された周状リブｈ２とを有しており、板状部ｈ１は、周状リブｈ２の幅方向の中央部に配設されている。また、板状部ｈ１の一方の側面ｈ１ａ及びもう一方の側面ｈ１ｂには、周状リブｈ２の相対する垂直部ｈ２ａの上部を連結する水平連結リブｈ３が形成されており、板状部ｈ１の両側面ｈ１ａ、ｈ１ｂに形成されている水平連結リブｈ３の板状部ｈ１と平行な端面ｈ３ａと、周状リブｈ２の板状部ｈ１と平行な端面ｈ２’とは、面一となるように形成されている。
【００２２】
ｈ４は、一方の側面ｈ１ａ側に位置する水平嵌合板部材Ｈ１と水平連結リブｈ３とを連結するとともに、所定の間隔を置いて形成された一対の側部当接垂直リブであり、一対の側部当接垂直リブｈ４の板状部ｈ１と平行な側面ｈ４ａは、板状部ｈ１の一方の側面ｈ１ａに形成されている水平連結リブｈ３の板状部ｈ１と平行な端面ｈ３ａ及び周状リブｈ２の板状部ｈ１と平行な端面ｈ２’と面一となるように形成されている。
【００２３】
ｈ５は、もう一方の側面ｈ１ｂ側に位置する水平嵌合板部材Ｈ１と水平連結リブｈ３とを連結するとともに、板状部ｈ１の中央部に形成された１つの中央当接垂直リブであり、中央当接垂直リブｈ５の板状部ｈ１と平行な側面ｈ５ａは、板状部ｈ１のもう一方の側面ｈ１ｂに形成されている水平連結リブｈ３の板状部ｈ１と平行な端面ｈ３ａ及び周状リブｈ２の板状部ｈ１と平行な端面ｈ２’と面一となるように形成されている。
【００２４】
ｈ６は、板状部ｈ１の一方の側面ｈ１ａ側に位置する周状リブｈ２の相対する垂直部ｈ２ａに、所定の間隔を置いて、且つ、板状部ｈ１と平行に形成されたＩＣタグ保持板であり、ＩＣ保持板ｈ６と板状部ｈ１との間には、後述するＩＣタグＴが挿入可能な間隙が形成されている。
【００２５】
ｈ７は、弾性舌片であり、弾性舌片ｈ７は、板状部ｈ１の下端部に、略Ｕ字状のスリットｈ８を穿設することにより形成されている。また、板状部ｈ１の一方の側面ｈ１ａ側に位置する弾性舌片ｈ７の自由端部付近には、水平状突条ｈ７ａが突設されている。
【００２６】
ｈ９は、板状部ｈ１のもう一方の側面ｈ１ｂに形成された中央縦リブであり、中央縦リブｈ９は、板状部ｈ１のもう一方の側面ｈ１ｂに形成された水平連結リブｈ３から、板状部ｈ１のもう一方の側面ｈ１ｂ側に位置する弾性舌片ｈ７の自由端部付まで延在している。ｈ１０は、板状部ｈ１のもう一方の側面ｈ１ｂ側に位置する周状リブｈ２の相対する垂直部ｈ２ａを連結する複数の水平交差リブであり、中央縦リブｈ９の板状部ｈ１と平行な端面ｈ９ａ及び水平交差リブｈ１０の板状部ｈ１と平行な端面ｈ１０ａは、周状リブｈ２の板状部ｈ１と平行な端面ｈ２’と面一となるように形成されている。
【００２７】
ｈ１１は、水平嵌合板部材Ｈ１と水平連結リブｈ３との間に位置する周状リブｈ２の相対する垂直部ｈ２ａの外面に突設された係止突部であり、係止突部ｈ１１の下面は、係止突部ｈ１１の垂直側面ｈ１１ａから周状リブｈ２に向かって、下方に傾斜した傾斜下面ｈ１１ｂとして形成されているとともに、その上面は、水平上面１１ｃとして形成されている。
【００２８】
ｈ１２は、弾性舌片ｈ７の自由端部付近に形成された水平状突条ｈ７ａの上方に位置する水平嵌合板部材Ｈ１の側面に形成された凹部である。このように、凹部ｈ１２は、弾性舌片ｈ７の自由端部付近に形成された水平状突条ｈ７ａの上方に位置する水平嵌合板部材Ｈ１の側面に形成されており、換言すれば、凹部ｈ１２は、ＩＣ保持板ｈ６と板状部ｈ１との間に形成された間隙に挿入されたＩＣタグＴの上方に位置する水平嵌合板部材Ｈ１の側面に形成されている。
【００２９】
次に、図８及び図９を用いて、ＩＣタグホルダーＨへのＩＣタグＴの取り付けについて説明する。
【００３０】
本実施例においては、ＩＣタグＴは、長方形状の板材として形成されている。ＩＣタグＴをＩＣタグホルダーＨに取り付ける際には、水平状突条ｈ７ａが突設されている側から弾性舌片ｈ７の下端部を押して、図８に示されているように、弾性舌片ｈ７を湾曲変形させる。次いで、ＩＣタグＴの上端ｔ１が、ＩＣタグホルダーＨの下方に位置するように配置し、その後、ＩＣタグＴを上動させることにより、ＩＣタグＴの上端ｔ１から、順次、ＩＣタグＴの両側部ｔ２を、ＩＣ保持板ｈ６と板状部ｈ１との間に形成されている間隙に挿入し、ＩＣタグＴの下端ｔ３が、弾性舌片ｈ７に形成されている水平状突条ｈ７ａを越えて上方に位置した時点で、湾曲変形している弾性舌片ｈ７から手を離して、弾性舌片ｈ７を、その弾性復元力により、板状部ｈ１と面一な元の状態に戻すことにより、図９に示されているように、ＩＣタグＴの下端ｔ３を、弾性舌片ｈ７の水平状突条ｈ７ａにより支持し、ＩＣタグＴが下方に移動しないように構成されている。
【００３１】
上述したように、ＩＣタグＴを、ＩＣタグホルダーＨに取り付ける際には、水平状突条ｈ７ａが突設されている側から弾性舌片ｈ７を押して、弾性舌片ｈ７を湾曲変形させた後、ＩＣタグホルダーＨの下方から、ＩＣタグＴの両側部ｔ２を、ＩＣ保持板ｈ６と板状部ｈ１との間に形成されている間隙に挿入するように構成したので、ＩＣタグＴを変形させることなく、平坦なままで、ＩＣタグホルダーＨに取り付けることができるので、ＩＣタグＴが損傷するようなことを防止することができる。
【００３２】
次に、図１０〜図１２を用いて、ＩＣタグＴが配設されたＩＣタグホルダーＨ（以下、単に、ＩＣタグ付きＩＣタグホルダーＨという。）のパレットＰへの取り付けについて説明する。
【００３３】
ＩＣタグ付きＩＣタグホルダーＨを、パレットＰに取り付けるには、ＩＣタグ付きＩＣタグホルダーＨを、図１０に示されているように、ＩＣタグホルダー挿入開口８の上方に配置し、その後、ＩＣタグ付きＩＣタグホルダーＨを、その下端部から、ＩＣタグホルダー挿入開口８に挿入する。この際、水平嵌合板部材Ｈ１の側面に形成された凹部ｈ１２が、ＩＣタグ視認用及び／又はバーコード読取部材挿入用の開口６側に位置するようにする。従って、ＩＣタグホルダーＨに取り付けられたＩＣタグＴは、確実に、ＩＣタグ視認用及び／又はバーコード読取部材挿入用の開口６側に位置することになる。
【００３４】
その後、更に、ＩＣタグ付きＩＣタグホルダーＨを下動させると、ＩＣタグ付きＩＣタグホルダーＨの周状リブｈ２の相対する垂直部ｈ２ａに突設された係止突部ｈ１１の傾斜下面ｈ１１ｂが、ＩＣタグホルダー挿入開口８の周状内周面８’に突設された環状突条１０の短辺突条部１０ｂに当接することになる。その後、更に、強制的に、ＩＣタグ付きＩＣタグホルダーＨを下動させると、係止突部ｈ１１の傾斜下面ｈ１１ｂが、環状突条１０の短辺突条部１０ｂに案内されながら、係止突部ｈ１１が、環状突条１０の短辺突条部１０ｂを越えることになり、係止突部ｈ１１が、環状突条１０の短辺突条部１０ｂを越えた瞬間に、図１１に示されているように、環状突条１０の短辺突条部１０ｂが、ＩＣタグ付きＩＣタグホルダーＨの周状リブｈ２の相対する垂直部ｈ２ａに突設された係止突部ｈ１１の水平上面１１ｃとＩＣタグ付きＩＣタグホルダーＨの水平嵌合板部材Ｈ１の下面Ｈ１’とにより挟持されるとともに、ＩＣタグ付きＩＣタグホルダーＨの水平嵌合板部材Ｈ１が、段差部１１の嵌合されることになる。
【００３５】
上述したようにして、ＩＣタグ付きＩＣタグホルダーＨが、パレットＰに取り付けられることになる。なお、ＩＣタグ付きＩＣタグホルダーＨが、パレットＰに取り付けられた際には、ＩＣタグ付きＩＣタグホルダーＨの水平嵌合板部材Ｈ１の上面Ｈ１”と上部デッキ１の上面１ａとが、略面一となるように構成されている。
【００３６】
上述したようにして、ＩＣタグ付きＩＣタグホルダーＨが、パレットＰに取り付けられた際には、ＩＣタグ付きＩＣタグホルダーＨの一方の側面ｈ１ａ側に形成された一対の側部当接垂直リブｈ４が、ＩＣタグホルダー挿入開口８の周状内周面８’に突設された環状突条１０の相対する長辺突条部１０ａのうち、ＩＣタグ視認用及び／又はバーコード読取部材挿入用の開口６側に位置する長辺突条部１０ａの垂直側面１０ａ１に当接、或いは、該垂直側面１０ａ１に近接するように構成されており、また、ＩＣタグ付きＩＣタグホルダーＨのもう一方の側面ｈ１ｂ側に形成された中央当接垂直リブｈ５が、ＩＣタグホルダー挿入開口８の周状内周面８’に突設された環状突条１０の相対する長辺突条部１０ａのうち、ＩＣタグ視認用及び／又はバーコード読取部材挿入用の開口６から遠い側に位置する長辺突条部１０ａの垂直側面１０ａ２に当接、或いは、該垂直側面１０ａ２に近接するように構成されている。
【００３７】
上述したように、ＩＣタグ付きＩＣタグホルダーＨが、パレットＰに取り付けられた際には、ＩＣタグ付きＩＣタグホルダーＨの一方の側面ｈ１ａ側に形成された一対の側部当接垂直リブｈ４が、ＩＣタグホルダー挿入開口８の周状内周面８’に突設された環状突条１０の相対する長辺突条部１０ａのうち、ＩＣタグ視認用及び／又はバーコード読取部材挿入用の開口６側に位置する長辺突条部１０ａの垂直側面１０ａ１に当接、或いは、該垂直側面１０ａ１に近接するように構成されており、また、ＩＣタグ付きＩＣタグホルダーＨのもう一方の側面ｈ１ｂ側に形成された中央当接垂直リブｈ５が、ＩＣタグホルダー挿入開口８の周状内周面８’に突設された環状突条１０の相対する長辺突条部１０ａのうち、ＩＣタグ視認用及び／又はバーコード読取部材挿入用の開口６から遠い側に位置する長辺突条部１０ａの垂直側面１０ａ２に当接、或いは、該垂直側面１０ａ２に近接するように構成されているので、ＩＣタグホルダー挿入開口８の周状内周面８’に突設された環状突条１０の短辺突条部１０ｂが、ＩＣタグ付きＩＣタグホルダーＨの周状リブｈ２の相対する垂直部ｈ２ａに突設された係止突部ｈ１１の水平上面１１ｃとＩＣタグ付きＩＣタグホルダーＨの水平嵌合板部材Ｈ１の下面Ｈ１’とにより挟持されている構成と相まって、ＩＣタグ付きＩＣタグホルダーＨのふらつきを防止することができ、ひいては、ＩＣタグに読み込まれた情報の読み取りやＩＣタグへの新たな情報の書き込み等に誤動作を防止することができる。
【００３８】
また、上述したように、ＩＣタグ付きＩＣタグホルダーＨのふらつきがないので、ＩＣタグ付きＩＣタグホルダーＨのパレットＰへの取り付け部分が損傷したり、或いは、ＩＣタグ付きＩＣタグホルダーＨのパレットＰからの離脱を防止することができる。
【００３９】
更に、ＩＣタグ付きＩＣタグホルダーＨを、パレットＰに取り付ける際には、水平嵌合板部材Ｈ１の側面に形成された凹部ｈ１２を目印として、凹部ｈ１２が、ＩＣタグ視認用及び／又はバーコード読取部材挿入用の開口６側に位置するように、ＩＣタグ付きＩＣタグホルダーＨを、ＩＣタグホルダー挿入開口８に挿入することにより、ＩＣタグホルダーＨに取り付けられたＩＣタグＴを、確実に、ＩＣタグ視認用及び／又はバーコード読取部材挿入用の開口６側に位置させることができ、従って、ＩＣタグホルダーＨに、ＩＣタグＴが取り付けられているか否かを、上部デッキ１の上方から、ＩＣタグ視認用及び／又はバーコード読取部材挿入用の開口６を通して、確実に、且つ、容易に、視認することができる。このように、ＩＣタグホルダーＨに、ＩＣタグＴが取り付けられているか否かを、上部デッキ１の上方から、ＩＣタグ視認用及び／又はバーコード読取部材挿入用の開口６を通して視認することができるようにするために、上部デッキ１の裏面に垂下された内側角筒部材５の長さ（上部デッキ１の裏面から内側角筒部材５の下端までの距離）を、適宜、設定し、内側角筒部材５が、ＩＣタグホルダーＨに取り付けられているＩＣタグＴの視認の邪魔にならないように構成されている。  
【００４０】
また、パレットＰに取り付けられたＩＣタグホルダーＨを取り外す際には、ＩＣタグホルダーＨの水平嵌合板部材Ｈ１の側面に形成された凹部ｈ１２に、マイナスドライバー等の偏平状の棒材を挿入し、その後、偏平状の棒材を傾動させることにより、ＩＣタグホルダーＨを、パレットＰから取り外すことができる。
【００４１】
更に、本実施例には、ＩＣタグ視認用及び／又はバーコード読取部材挿入用の開口６の周辺に、４個のＩＣタグホルダー挿入開口８が形成されている例が示されているが、ＩＣタグホルダーＨのパレットＰへの取り付けだけである場合には、ＩＣタグ視認用及び／又はバーコード読取部材挿入用の開口６は不要であるので、図１に８”で示したように、ＩＣタグホルダー挿入開口を、ＩＣタグ視認用及び／又はバーコード読取部材挿入用の開口６付近に形成する必要はない。
【００４２】
図１３に示されているＩＣタグＴは、その一側面に、バックアップ用バーコードＢが形成されているＩＣタグＴである。以下、このようなＩＣタグを、バックアップ用バーコード付きＩＣタグと称し、符号Ｔ’が付されている。バックアップ用バーコードＢには、ＩＣタグＴのタイプ、例えば、ＩＣタグＴが、パッシブ型であるのか、セミパッシブ型であるのか、アクティブ型であるのか等の情報や、ＩＣタグＴのサイズや、ＩＣタグＴの利用周波数等のＩＣタグＴに関する種々の情報が含まれている。
【００４３】
バックアップ用バーコード付きＩＣタグＴ’が取り付けられたＩＣタグホルダーＨは、バックアップ用バーコードＢが形成されている側面が、ＩＣタグ視認用及び／又はバーコード読取部材挿入用の開口６側に位置するように、パレットＰに取り付けられるように構成されている。
【００４４】
バックアップ用バーコード付きＩＣタグＴ’から情報が読み取れなっかたり、或いは、バックアップ用バーコード付きＩＣタグＴ’に情報を書き込むことができなかったり等のトラブルが発生した際には、ＩＣタグ視認用及び／又はバーコード読取部材挿入用の開口６に、バーコード読取部材を挿入し、ＩＣタグホルダーＨに取り付けられたＩＣタグＴが、どのようなものであるかを読み取り、所望のＩＣタグＴを、容易に確認することができるので、従って、ＩＣタグＴの取り替え作業の作業性が向上する。
【図面の簡単な説明】
【００４５】
【図１】図１は、本発明のＩＣタグホルダー付きパレットの斜視図である。
【図２】図２は、図１に示されているＩＣタグホルダー付きパレットの部分斜視図である。
【図３】図３は、垂直断面を含むＩＣタグホルダー付きパレットの部分斜視図である。
【図４】図４は、図３と同様の垂直断面を含むＩＣタグホルダー付きパレットの部分斜視図である。
【図５】図５は、図３に示されている垂直断面を含むＩＣタグホルダー付きパレットの部分斜視図の更なる部分拡大斜視図である。
【図６】図６は、本発明のＩＣタグホルダー付きパレットを構成するＩＣタグホルダーの斜視図である。
【図７】図７は、図６に示されているＩＣタグホルダーを、別の側面から見たＩＣタグホルダーの斜視図である。
【図８】図８は、図６に示されているＩＣタグホルダーへのＩＣタグの取り付けを説明するためのＩＣタグホルダーの斜視図である。
【図９】図９は、ＩＣタグが取り付けられた状態のＩＣタグホルダーの斜視図である。
【図１０】図１０は、パレットへのＩＣタグホルダーの取り付けを説明するための斜視図である。
【図１１】図１１は、ＩＣタグホルダーが取り付けられた状態の垂直断面を含むＩＣタグホルダー付きパレットの部分斜視図である。
【図１２】図１２は、同じく、ＩＣタグホルダーが取り付けられた状態の垂直断面を含むＩＣタグホルダー付きパレットの部分斜視図である。
【図１３】図１３は、別の実施例のＩＣタグが取り付けられた状態のＩＣタグホルダーの斜視図である。
【符号の説明】
【００４６】
Ｂ・・・・・・・・・・・・・・・・バックアップ用バーコード
Ｈ・・・・・・・・・・・・・・・・ＩＣタグホルダー
ｈ２・・・・・・・・・・・・・・・周状リブ
ｈ１１・・・・・・・・・・・・・・係止突部
ｈ１２・・・・・・・・・・・・・・凹部
Ｐ・・・・・・・・・・・・・・・・パレット
Ｔ・・・・・・・・・・・・・・・・ＩＣタグ
１・・・・・・・・・・・・・・・・上部デッキ
２・・・・・・・・・・・・・・・・下部デッキ
５・・・・・・・・・・・・・・・・内側角筒部材
６・・・・・・・・・・・・・・・・開口
７・・・・・・・・・・・・・・・・外側角筒部材
８・・・・・・・・・・・・・・・・ＩＣタグホルダー挿入開口
１０・・・・・・・・・・・・・・・環状突条
【図１】
0004901615.tif 000002
【図２】
0004901615.tif 000003
【図３】
0004901615.tif 000004
【図４】
0004901615.tif 000005
【図５】
0004901615.tif 000006
【図６】
0004901615.tif 000007
【図７】
0004901615.tif 000008
【図８】
0004901615.tif 000009
【図９】
0004901615.tif 000010
【図１０】
0004901615.tif 000011
【図１１】
0004901615.tif 000012
【図１２】
0004901615.tif 000013
【図１３】
0004901615.tif 000014